【手続補正書】
【提出日】平成19年7月19日(2007.7.19)
【手続補正１】
【補正対象書類名】明細書
【補正対象項目名】発明の名称
【補正方法】変更
【補正の内容】
【発明の名称】カラーフィルタの製造方法及び製造装置、液晶パネルの製造方法、表示装置の製造方法、表示装置用パネルの製造方法
【手続補正２】
【補正対象書類名】明細書
【補正対象項目名】特許請求の範囲
【補正方法】変更
【補正の内容】
【特許請求の範囲】
【請求項１】  インクを吐出するための吐出口が形成された吐出口面を有し、少なくとも前記吐出口の周辺部分が撥水部材で被覆されたインクジェットヘッドから基板上にインクを吐出して、所定の方向に延びる着色領域を色毎に形成することによりカラーフィルタを製造する方法であって、
前記吐出口面をワイピングするためのワイピング部材により前記吐出口面をワイピングする工程を備え、
前記ワイピング部材によるワイピング方向は前記所定の方向に沿った方向と同一であることを特徴とするカラーフィルタの製造方法。
【請求項２】  前記吐出口面のワイピングに伴い前記撥水部材に欠損部が発生し、該欠損部は、前記ワイピング方向に延びた形状であることを特徴とする請求項１に記載のカラーフィルタの製造方法。
【請求項３】  前記吐出口面のワイピングに伴い前記撥水部材に欠損部が発生し、該欠損部とは、前記撥水部材に発生する傷の部分あるいは前記撥水部材が剥離した部分であることを特徴とする請求項１又は２に記載のカラーフィルタの製造方法。
【請求項４】  前記撥水部材は、前記吐出口面の全域を被覆していることを特徴とする請求項１乃至３のいずれか１項に記載のカラーフィルタの製造方法。
【請求項５】  前記インクの吐出は、前記インクジェットヘッドと前記基板との前記所定の方向への相対移動中に行われることを特徴とする請求項１乃至４のいずれか１項に記載のカラーフィルタの製造方法。
【請求項６】  前記インクの吐出は、前記インクジェットヘッドと前記基板との前記所定の方向と直交する方向への相対移動中に行われることを特徴とする請求項１乃至４のいずれか１項に記載のカラーフィルタの製造方法。
【請求項７】前記着色領域は、赤色、緑色、青色であることを特徴とする請求項１乃至６のいずれか１項に記載のカラーフィルタの製造方法。
【請求項８】前記着色領域は、前記所定の方向に複数の画素を有することを特徴とする請求項１乃至７のいずれか１項に記載のカラーフィルタの製造方法。
【請求項９】前記着色領域は、前記所定の方向に１つの画素を有することを特徴とする請求項１乃至７のいずれか１項に記載のカラーフィルタの製造方法。
【請求項１０】  前記ワイピング部材によるワイピングは、前記カラーフィルタをＮ（Ｎは１以上の整数）枚製造する毎に行うことを特徴とする請求項１に記載のカラーフィルタの製造方法。
【請求項１１】  インクを吐出するための吐出口が形成された吐出口面を有し、当該吐出口の周辺部分が撥水部材で被覆されたインクジェットヘッドと基板とを所定方向に相対移動させながら、同じ色のインクで形成される複数の画素を前記所定方向に配列してなるカラーフィルタを製造する方法であって、
前記同じ色のインクで形成される２つの画素の間隔と、前記インクジェットヘッドの複数の吐出口のうち使用する２つの吐出口の、前記所定の方向と直交する方向における間隔とが一致するように、前記インクジェットヘッドの前記所定の方向に対する角度を調整する調整工程と、
前記調整工程において調整された角度を保ったままの状態で前記インクジェットヘッドから前記相対移動中に前記基板にインクを吐出する工程と、
前記調整工程において調整された角度を保ったままの状態で前記吐出口面をワイピング部材によりワイピングする工程とを具備し、
前記ワイピング部材のワイピングの方向は前記所定の方向に沿った方向と同一であることを特徴とするカラーフィルタの製造方法。
【請求項１２】  カラーフィルタを備えた液晶パネルの製造方法であって、
請求項１乃至１１のいずれか１項に記載の製造方法により製造されたカラーフィルタを用意する工程と、
用意された前記カラーフィルタと対向基板との間に液晶化合物を挿入する工程と、
を具備することを特徴とする液晶パネルの製造方法。
【請求項１３】液晶パネルを備えた表示装置の製造方法であって、
請求項１２の製造方法により製造された液晶パネルを用意する工程と、
用意された前記液晶パネルに画像信号を供給する画像信号供給手段を接続する工程と、
を具備することを特徴とする表示装置の製造方法。
【請求項１４】  液体を吐出するための吐出口が形成された吐出口面を有し、当該吐出口の周辺部分が撥水部材で被覆された液体付与ヘッドから基板上に液体を付与することで、所定の方向に延び且つ表示に用いられる表示部が配列してなる表示装置用パネルを製造する方法であって、
前記吐出口面をワイピングするためのワイピング部材により前記吐出口面をワイピングする工程を備え、
前記ワイピング部材によるワイピング方向は前記所定の方向に沿った方向と同一であることを特徴とする表示装置用パネルの製造方法。
【請求項１５】前記液体はＥＬ材料であり、前記表示部は発光層であり、前記表示装置用パネルはＥＬ表示パネルであることを特徴とする請求項１４に記載の表示装置用パネルの製造方法。
【請求項１６】前記液体はインクであり、前記表示部は前記インクにより形成される着色層であり、前記表示装置用パネルはカラーフィルタであることを特徴とする請求項１４又は１５に記載の表示装置用パネルの製造方法。
【請求項１７】  表示に用いられるための材料を吐出するための吐出口が形成された吐出口面を有し、少なくとも前記吐出口の周辺部分が撥水部材で被覆されたヘッドから基体上に前記材料を吐出して、所定の方向に延び且つ表示に用いられる表示部を形成することにより表示装置用パネルを製造する方法であって、
同じ材料で形成される２つの前記表示部の間隔と、前記ヘッドの複数の吐出口のうち使用する２つの吐出口の、前記所定の方向と直交する方向における間隔とが一致するように、前記ヘッドの前記所定の方向に対する角度を調整する調整工程と、
前記調整工程において調整された角度のままの状態で前記吐出口面をワイピング部材によりワイピングする工程とを具備し、 
前記ワイピング部材によるワイピング方向は前記所定の方向に沿った方向と同一であることを特徴とする表示装置用パネルの製造方法。
【請求項１８】  インクを吐出するための吐出口が形成された吐出口面を有し、少なくとも前記吐出口の周辺部分が撥水部材で被覆されたインクジェットヘッドから基板上にインクを吐出して、所定の方向に延びる着色領域を色毎に形成することによりカラーフィルタを製造する装置であって、
前記吐出口面をワイピングするためのワイピング部材を備え、
前記ワイピング部材によるワイピング方向は前記所定の方向に沿った方向と同一であることを特徴とするカラーフィルタの製造装置。
【手続補正３】
【補正対象書類名】明細書
【補正対象項目名】００１５
【補正方法】変更
【補正の内容】
【００１５】
【課題を解決するための手段】
上述した課題を解決し、目的を達成するために、本発明に係わるカラーフィルタの製造方法は、インクを吐出するための吐出口が形成された吐出口面を有し、少なくとも前記吐出口の周辺部分が撥水部材で被覆されたインクジェットヘッドから基板上にインクを吐出して、所定の方向に延びる着色領域を色毎に形成することによりカラーフィルタを製造する方法であって、前記吐出口面をワイピングするためのワイピング部材により前記吐出口面をワイピングする工程を備え、前記ワイピング部材によるワイピング方向は前記所定の方向に沿った方向と同一であることを特徴としている。
【手続補正４】
【補正対象書類名】明細書
【補正対象項目名】００１６
【補正方法】変更
【補正の内容】
【００１６】
また、本発明に係わるカラーフィルタの製造方法は、インクを吐出するための吐出口が形成された吐出口面を有し、当該吐出口の周辺部分が撥水部材で被覆されたインクジェットヘッドと基板とを所定方向に相対移動させながら、同じ色のインクで形成される複数の画素を前記所定方向に配列してなるカラーフィルタを製造する方法であって、前記同じ色のインクで形成される２つの画素の間隔と、前記インクジェットヘッドの複数の吐出口のうち使用する２つの吐出口の、前記所定の方向と直交する方向における間隔とが一致するように、前記インクジェットヘッドの前記所定の方向に対する角度を調整する調整工程と、前記調整工程において調整された角度を保ったままの状態で前記インクジェットヘッドから前記相対移動中に前記基板にインクを吐出する工程と、前記調整工程において調整された角度を保ったままの状態で前記吐出口面をワイピング部材によりワイピングする工程とを具備し、前記ワイピング部材のワイピングの方向は前記所定の方向に沿った方向と同一であることを特徴としている。
【手続補正５】
【補正対象書類名】明細書
【補正対象項目名】００１７
【補正方法】変更
【補正の内容】
【００１７】
また、本発明に係わる液晶パネルの製造方法は、カラーフィルタを備えた液晶パネルの製造方法であって、上記の製造方法により製造されたカラーフィルタを用意する工程と、用意された前記カラーフィルタと対向基板との間に液晶化合物を挿入する工程と、を具備することを特徴としている。
【手続補正６】
【補正対象書類名】明細書
【補正対象項目名】００１８
【補正方法】変更
【補正の内容】
【００１８】
また、本発明に係わる表示装置の製造方法は、液晶パネルを備えた表示装置の製造方法であって、上記の製造方法により製造された液晶パネルを用意する工程と、用意された前記液晶パネルに画像信号を供給する画像信号供給手段を接続する工程と、を具備することを特徴としている。
【手続補正７】
【補正対象書類名】明細書
【補正対象項目名】００１９
【補正方法】変更
【補正の内容】
【００１９】
また、本発明に係わる表示装置用パネルの製造方法は、液体を吐出するための吐出口が形成された吐出口面を有し、当該吐出口の周辺部分が撥水部材で被覆された液体付与ヘッドから基板上に液体を付与することで、所定の方向に延び且つ表示に用いられる表示部が配列してなる表示装置用パネルを製造する方法であって、前記吐出口面をワイピングするためのワイピング部材により前記吐出口面をワイピングする工程を備え、前記ワイピング部材によるワイピング方向は前記所定の方向に沿った方向と同一であることを特徴としている。
【手続補正８】
【補正対象書類名】明細書
【補正対象項目名】００２０
【補正方法】変更
【補正の内容】
【００２０】
また、本発明に係わる表示装置用パネルの製造方法は、表示に用いられるための材料を吐出するための吐出口が形成された吐出口面を有し、少なくとも前記吐出口の周辺部分が撥水部材で被覆されたヘッドから基体上に前記材料を吐出して、所定の方向に延び且つ表示に用いられる表示部を形成することにより表示装置用パネルを製造する方法であって、同じ材料で形成される２つの前記表示部の間隔と、前記ヘッドの複数の吐出口のうち使用する２つの吐出口の、前記所定の方向と直交する方向における間隔とが一致するように、前記ヘッドの前記所定の方向に対する角度を調整する調整工程と、前記調整工程において調整された角度のままの状態で前記吐出口面をワイピング部材によりワイピングする工程とを具備し、 前記ワイピング部材によるワイピング方向は前記所定の方向に沿った方向と同一であることを特徴としている。
【手続補正９】
【補正対象書類名】明細書
【補正対象項目名】００２１
【補正方法】変更
【補正の内容】
【００２１】
また、本発明に係わるカラーフィルタの製造装置は、インクを吐出するための吐出口が形成された吐出口面を有し、少なくとも前記吐出口の周辺部分が撥水部材で被覆されたインクジェットヘッドから基板上にインクを吐出して、所定の方向に延びる着色領域を色毎に形成することによりカラーフィルタを製造する装置であって、前記吐出口面をワイピングするためのワイピング部材を備え、前記ワイピング部材によるワイピング方向は前記所定の方向に沿った方向と同一であることを特徴としている。
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】